(57)【要約】【課題】マイナスイオン発生部材を気泡発生部の近傍に設けて水中へ放出される気泡中のマイナスイオンの混入量を増すことができ、しかも、気泡発生部より水が導管内へ入り込んでマイナスイオン発生部材が水浸しになるおそれがない浄化装置を提供する。【解決手段】浄化装置は、浄化槽１と、浄化槽１の内部の水面下へ導かれる導管３を有し導管３内へ送り込まれた空気を導管３の下端部に設けられた気泡発生部５より送り出して気泡化する気泡発生装置２と、前記導管３内の水面下の位置に設けられる繊維状電極６１とから成る。導管３には導管３内での空気の逆流を阻止する逆止弁７を設けて導管３の内部を非浸水状態に形成するとともに、導管内部の気泡発生部５の近傍位置に前記繊維状電極６１を配置している。【選択図】図１
2007021364.tif 000002
【特許請求の範囲】
【請求項１】
被処理水の導入部および処理済水の導出部を有する浄化槽と、前記浄化槽の内部の水面下へ導かれる導管を有し前記導管内へ送り込まれた空気を導管の下端部に設けられた気泡発生部より送り出して気泡化する気泡発生装置と、前記導管内の水面下の位置に設けられるマイナスイオン発生部材とから成り、
前記導管には導管内での空気の逆流を阻止する逆止弁を設けて導管の内部を非浸水状態に形成するとともに、導管内部の前記気泡発生部の近傍位置に前記マイナスイオン発生部材を配置して成る浄化装置。
【請求項２】
前記マイナスイオン発生部材は、金属繊維を束ねて形成されかつ高電圧発生回路の陽電極に接続された繊維状電極である請求項１に記載された浄化装置。
【請求項３】
前記浄化槽の内部は、底部において連通する複数の処理室に区画されており、各処理室内の水面下に気泡発生装置の導管がそれぞれ導かれるとともに、各導管の下端部にそれぞれ前記気泡発生部が設けられかつその近傍位置に前記マイナスイオン発生部材が配置されている請求項１または２に記載された浄化装置。
【請求項４】
前記導管は、ブロワーに連通しかつ水面の上方に位置させる第１の管と、第１の管に対して着脱可能に接続される第２の管とから成り、第２の管は水面下に導かれるとともに、その下端部に前記気泡発生部が設けられかつその近傍位置に前記マイナスイオン発生部材が配置されている請求項１〜３のいずれかに記載された浄化装置。
【発明の詳細な説明】
【技術分野】
【０００１】
この発明は、例えばレストランなどの厨房から排出される廃水を浄化処理するのに用いられる浄化装置に関する。
【背景技術】
【０００２】
従来、この種の浄化装置として、浄化槽の内部を下部において連通した複数の処理室に区画し、各処理室を被処理水（懸濁液）で満たすとともに、各処理室の底部に配備したエアーフィルタより気泡を発生させるようにしたものが提案されている（例えば、特許文献１参照）。気泡には懸濁粒子（乳化した油粒子）が付着し、それが上方に浮揚するので、被処理水から油分が分離される。しかも、気泡により水中に酸素が供給されるので、水中の好気性細菌の活動が促されて油分が分解される。なお、気泡には油分のみならず種々の溶解物質や不溶物質が付着する。
【０００３】
【特許文献１】特開平９−１２２０５９号公報
【０００４】
上記の浄化装置において、単に気泡を発生させるのみならず、オゾンを浄化槽の内部へ導入することにより、消臭や殺菌を行うことも試みられている。しかし、オゾンは有害な作用を伴うため、近年、マイナスイオンによる浄化作用が注目され、マイナスイオンを気泡に混入させることで浄化効果を高めることが提案されている。
通常、マイナスイオン発生装置は、浄化槽の外部に設けてあり、外部で発生させたマイナスイオンを導管により浄化槽の内部へ空気と共に送り、導管の先端に設けられた気泡発生部で水中へ気泡化して放出する。
【発明の開示】
【発明が解決しようとする課題】
【０００５】
しかし、マイナスイオンが導管内を移動するとき、導管内の気体と反応するため、水中へ放出される気泡中のマイナスイオンの混入量が大幅に減少するという問題がある。この問題を解消するには、マイナスイオン発生部材を気泡発生部の近くに設けることも考えられるが、導管内への送気を休止すると、気泡発生部より水が導管内へ入り込むため、マイナスイオン発生部材が水浸しとなって機能が低下するという問題がある。したがって、たとえマイナスイオン発生部材を前記導管の内部に設置するとしても、水面下には設置できず、気泡発生部のすぐ近傍位置にマイナスイオン発生部材を設けることはできない。
【０００６】
この発明は、上記した問題に着目してなされたもので、マイナスイオン発生部材を気泡発生部の近傍位置に設けて水中へ放出される気泡中のマイナスイオンの混入量を増すことができ、しかも、気泡発生部より水が導管内へ入り込んでマイナスイオン発生部材が水浸しになるおそれがない浄化装置を提供することを目的とする。
【課題を解決するための手段】
【０００７】
この発明による浄化装置は、被処理水の導入部および処理済水の導出部を有する浄化槽と、前記浄化槽の内部の水面下へ導かれる導管を有し前記導管内へ送り込まれた空気を導管の下端部に設けられた気泡発生部より送り出して気泡化する気泡発生装置と、前記導管内の水面下の位置に設けられるマイナスイオン発生部材とから成るものである。前記導管には、導管内での空気の逆流を阻止する逆止弁を設けて導管の内部を非浸水状態に形成するとともに、導管内部の前記気泡発生部の近傍位置に前記マイナスイオン発生部材を配置している。
【０００８】
この発明の上記した構成において、「気泡発生部」は管状体に複数の通気孔を開設したものを導管の先端に接続することにより形成できるが、これに限らず、例えば導管の先端部に複数の通気孔を直接開設するようにしてもよい。
また、「逆止弁」には種々のものがあるが、電磁弁を逆止弁に用いることもできる。この場合、導管内へ空気を送り込むときは電磁弁を開き、導管への空気の送込みを停止したときは、これと連動して電磁弁を閉じ、導管内での空気の逆流を阻止する。なお、「逆止弁」は導管の適所に設けることができるもので、その設置位置は問わない。
【０００９】
上記した構成の浄化装置において、浄化槽の内部には被処理水が導入部より導入されて満たされる。導管へ空気が送り込まれると、気泡発生部で気泡化されて水中へ多数の気泡が放出される。気泡には懸濁粒子が付着し、それが水中を上方へ浮揚するので、被処理水から油分が分離され、浄化槽内の下部の水が浄化される。しかも、気泡により水中に酸素が供給されるので、水中の好気性細菌の活動が促されて油分が分解される。さらに、気泡にマイナスイオンを混入させるので、浄化効果が一層高められる。処理済水は導出部より浄化槽の外部へ導出される。
【００１０】
導管に逆止弁を設けて導管の内部を常に非浸水状態に形成し、その導管内部の気泡発生部の近傍位置にマイナスイオン発生部材を配置してマイナスイオンを発生させるので、マイナスイオンは導管内を長く移動することなく発生直後にすぐ近傍の気泡発生部より気泡中に混入されて水中に放出される。このため、マイナスイオンが導管内の気体と反応することがなく、気泡中のマイナスイオンの混入量が増大し、浄化効果が向上する。しかも、逆止弁によって導管の内部を常に非浸水状態に形成してマイナスイオン発生部材を配置するので、たとえ送気を止めても、マイナスイオン発生部材が水浸しになるおそれがなく、マイナスイオン発生部材の機能を低下させない。
【００１１】
この発明の好ましい一実施態様においては、前記マイナスイオン発生部材として、金属繊維を束ねて形成されかつ高電圧発生回路の陽電極に接続された繊維状電極により構成されている。この繊維状電極に高電圧が印加されて電気エネルギーが与えられると、放電により各金属繊維の針状をなす先端部より空気中へ多量の電子が放出され、これらの電子が空気中の水分に作用してマイナスイオンを多量に発生させる。なお、マイナスイオン発生部材は導管の内部に設けることができるものであれば、必ずしも繊維状電極に限られるものではないが、この実施態様の繊維状電極を採用する場合は、高電圧発生回路の陽電極にのみ繊維状電極を接続し、負電極は適所に接地するだけで、大量のマイナスイオンを発生することが確認されている。例えば、針状電極を用いる場合は、高電圧発生回路の陽電極と負電極とをそれぞれ針状電極に配線する必要があるのに対して、繊維状電極を用いる場合は陽電極に接続されたリード線のみを導管に導入すればよいから、導管内の配線構造が簡易となる。
【００１２】
この発明の一実施態様においては、前記浄化槽の内部は、底部において連通する複数の処理室に区画されており、各処理室内の水面下に気泡発生装置の導管がそれぞれ導かれるとともに、各導管の下端部にそれぞれ前記気泡発生部が設けられかつその近傍位置に前記マイナスイオン発生部材が配置されている。この実施態様によると、浄化処理が各処理室で段階的に行われ、順次浄化された水が最終段の処理室に至って導出部より浄化槽の外部へ導出される。
【００１３】
この発明の好ましい一実施態様においては、前記導管は、ブロワーに連通しかつ水面の上方に位置させる第１の管と、第１の管に対して着脱可能に接続される第２の管とから成り、第２の管は水面下に導かれるとともに、その下端部に前記気泡発生部が設けられかつその近傍位置に前記マイナスイオン発生部材が配置されている。この実施態様によると、マイナスイオン発生部材が消耗して交換する必要が生じたとき、第１の管より第２の管を外すことにより、容易にマイナスイオン発生部材を交換することができる。
【発明の効果】
【００１４】
この発明によれば、マイナスイオン発生部材を導管内部の気泡発生部の近傍に設けたから、水中へ放出される気泡中のマイナスイオンの混入量を増すことができる。しかも、導管に逆止弁を設けて導管の内部を非浸水状態に形成したから、気泡発生部より水が導管内へ入り込んでマイナスイオン発生部材が水浸しになるおそれがなく、マイナスイオン発生部材の機能を低下させることがない。
【発明を実施するための最良の形態】
【００１５】
図１および図２は、この発明の一実施例である浄化装置の構成を示す。
図示例の浄化装置は、レストランの厨房から排出される廃水を被処理水として浄化処理するのに用いられるもので、被処理水を導入して浄化処理するための浄化槽１と、多数の気泡を生成して浄化槽１に満たされた水の中へ放出する気泡発生装置２とを備えている。なお、この発明の浄化装置は、厨房からの廃水の処理に限らず、その他の廃水乃至廃液や汚水の処理に適用することができる。
前記浄化槽１の一側壁には被処理水を浄化槽１内に導入するための導入管１１が配備されている。前記導入管１１の先端は被処理水の導入口１２であり、浄化槽１の水面の上方に位置している。
【００１６】
前記浄化槽１の内部は、複数の仕切壁１５，１６によって複数の処理室１０ａ，１０ｂ，１０ｃに区画形成されている。前記導入口１２の下方に第１の処理室１０ａが位置している。第１の処理室１０ａと第２の処理室１０ｂとは一方の仕切壁１５の下方で連通し、第２の処理室１０ｂと第３の処理室１０ｃとは他方の仕切壁１６の下方で連通している。
第３の処理室１０ｃには、処理済水を浄化槽１の外部へ導出するための導出管１３が配備されている。前記導出管１３の下端が処理済水の導出口１４であり、この導出口１４を浄化槽１の底面近くに位置させている。
【００１７】
前記気泡発生装置２は、浄化槽１の外部に配置されるブロワー２０と、前記ブロワー２０より送り込まれた空気を浄化槽１の内部の底部近くまで導く合成樹脂製の導管３とを含んでいる。前記導管３は、ブロワー２０に連通する主管３０と、前記主管３０に対して分岐する分岐管４ａ，４ｂ，４ｃとから成る。前記主管３０は、浄化槽１の水面の上方に水平状態で配置され、第１〜第３の各処理室１０ａ〜１０ｃに対応する位置で下方へ分岐している。各分岐部３１ａ〜３１ｃには各分岐管４ａ〜４ｃが連結管４０ａ〜４０ｃを介してそれぞれ接続されている。各分岐管４ａ〜４ｃは水面の上方から水面下の底部近くまで真下へ延びている。各分岐管４ａ〜４ｃの下端部には気泡発生部５を構成する散気管５０ａ〜５０ｃがそれぞれ連結されている。
【００１８】
各散気管５０ａ〜５０ｃは、浄化槽１の幅に応じた長さに設定され、浄化槽１の底面と平行となるように各分岐管４ａ〜４ｃの下端に連結配備されている。各散気管５０ａ〜５０ｃの外周面には複数の通気孔５１が開設されている。導管３へ送り込まれた空気は各通気孔５１より出るとき、気泡となって水中へ放出される。
この実施例では、保守、点検を容易にするために、主管３０に対して分岐管４ａ〜４ｃを着脱可能な構造としているが、図３に示すように、主管３０と一体に各分岐管４ａ〜４ｃを形成することもできる。
【００１９】
図４は、主管３０の分岐部３１ａと分岐管４ａとが連結管４０ａにより連結された状態を示している。なお、他の分岐部３１ｂ，３１ｃと他の分岐管４ｂ，４ｃとの連結構造も同様であり、ここでは図示並びに説明を省略する。
前記分岐部３１ａの下端部は、図５（１）に示すように、その外形が先に細い形状になっており、図５（２）に示す分岐管４ａの上端部の内孔へ差し込み可能となっている。分岐部３１ａの下端部を分岐管４ａの上端部の内孔へ差し込んだとき、分岐部３１ａと分岐管４ａとは気密状態で連通する。なお、気密性を高めるために、分岐部３１ａと分岐管４ａとの間にＯリングなどのシール部材を介在させてもよい。
分岐部３１ａと分岐管４ａの外周面には、分岐部３１ａを分岐管４ａの内孔へ正しく挿入したとき、互いに連続するねじ３２，４２が形成してある。この連続するねじ３２，４２に連結管４０ａの内面に形成したねじ４１をねじ込むことにより分岐部３１ａと分岐管４ａとが連結管４０ａにより連結されかつ連結状態が保持される。
【００２０】
前記主管３０の内面には各分岐部３１ａ〜３１ｃにまで達する肉厚部３３が形成してある。この肉厚部３３の内部には３本のリード線６２，７１，７２（図１に示す。）を通すための３個の挿通孔３４が形成されている。分岐部３１ａ〜３１ｃの端面には各リード線６２，７１，７２が接続された３本の接続ピン３５が突出している。
【００２１】
分岐管４ａ〜４ｃの内面にも同様の肉厚部４３が形成してある。この肉厚部４３の内部に３本のリード線６４，７３，７４（図１に示す。）を通すための３個の挿通孔４４が形成されている。分岐管４ａ〜４ｃの端面には各リード線６４，７３，７４が接続された３個のソケット４５が設けてある。各ソケット４５に接続ピン３５を位置合わせして差し込むことにより主管３０を通るリード線６２，７１，７２と各分岐管４ａ〜４ｃを通るリード線６４，７３，７４とが導通する。また、３本の接続ピン３５が３個のソケット４５へ差し込まれる角度位置において前記したねじ３２，４２が連続する。
【００２２】
主管３０を通る２本のリード線７１，７２は後述する電磁弁起動装置７０より引き出されている。また、主管３０を通る他の１本のリード線６２は後述する高電圧発生回路６０より引き出されている。一方、各分岐管４ａ〜４ｃを通る２本のリード線７３，７４は後述する逆止弁７に、他の１本のリード線６４は後述するマイナスイオン発生装置６の繊維状電極６１に、それぞれ接続されている。
【００２３】
なお、図１、図２に示す導管３の配管構造は比較的小さな浄化槽１に適用されるもので、浄化槽１の面積が大きなものであれば、分岐数や分岐管の本数を増すことになる。例えば、図６に示す実施例は、ブロワー２０に連通する主管３０と、前記主管３０より分岐する第１の分岐管４Ａ〜４Ｄと、各分岐管４Ａ〜４Ｄからさらに分岐する第２の分岐管４７，４８，４９とで構成されている。前記主管３０および第１の分岐管４Ａ〜４Ｄは、浄化槽１の水面の上方に位置しており、第１〜第３の各処理室１０ａ〜１０ｃに対応する位置でさらに分岐している。第１の分岐管４Ａ〜４Ｄからの各分岐部には第２の分岐管４７，４８，４９ｃが前記した連結管４０ａ〜４０ｃと同様の構成の連結管（図示せず。）を介してそれぞれ接続されている。各分岐管４７，４８，４９は水面下の底部近くまで延びており、それぞれの下端部に気泡発生部５を構成する散気管５０Ａ〜５０Ｄが連結されている。
【００２４】
図１に戻って、各分岐管４ａ〜４ｃの下端部の内部には、分岐管４ａ〜４ｃの内部での空気の逆流を阻止する逆止弁７がそれぞれ設けられている。この実施例では、各逆止弁７は水面下の位置に設置されているが、水面上に設置してもよく、その設置位置は問わない。各逆止弁７によって分岐管４ａ〜４ｃの内部に水が浸入しない非浸水状態が形成される。この実施例では、逆止弁７として電磁弁が用いてあり、ブロワー２０が駆動を停止するとき、電磁弁起動装置７０がブロワー２０からの停止信号ｉを受けて逆止弁７を閉動作させる。この逆止弁７の閉動作によって導管３の内圧が保持され、その圧力によって散気管５０ａ〜５０ｃの通気孔５１からの水の浸入が阻止される。
前記電磁弁起動装置７０は、ブロワー２０から始動信号ｊを受けたとき、逆止弁７を開動作させる。これによりブロワー２０より導管３に送り込まれた空気が散気管５０ａ〜５０ｃの通気孔５１より送り出されて気泡化される。
【００２５】
なお、逆止弁７として必ずしも電磁弁を用いる必要はなく、例えば汎用の逆止弁、すなわち、一定以上の空気圧が作用するときは空気圧が作用する方向に弁を開いて空気を通過させるが、その逆方向の空気圧には弁が閉じて空気を通過させない構造の逆止弁を用いることも可能である。
【００２６】
各分岐管４ａ〜４ｃの下端部の内部には、気泡発生部５の近傍位置に、マイナスイオン発生装置６の繊維状電極６１がそれぞれ配置され、マイナスイオン発生部８が形成されている。前記マイナスイオン発生装置６は高電圧発生回路６０と、各分岐管４ａ〜４ｃの内部に配設される繊維状電極６１とから成る。前記高電圧発生回路６０は、交流電圧（１００ボルト）を所定の直流電圧に変換する変換回路と、前記変換回路で得られた直流電圧を所定の高電圧（数百〜数千ボルト）に昇圧する昇圧回路とを含んでいる。この高電圧発生回路６０は、その陰電極が適所に接地され、陽電極に前記リード線６２，６４を介して各繊維状電極６１が接続されている。
【００２７】
各繊維状電極６１は、金属繊維（例えば直径が数ミクロンの繊維状に加工したステンレス線）を束ねて形成されたもので、各金属繊維の先端が針状になっている。前記繊維状電極６１を製作するには、まず、ステンレス線の周面に銅メッキを施して多数本を束ねた後、各ステンレス線を直径が数ミクロンになるまで伸長処理を施す。つぎにエッチング処理を施して周面の銅メッキを剥離することにより目的とする繊維状電極６１が得られる。この繊維状電極６１を高電圧発生回路６０の陽電極に接続して高電圧を印加するだけで多量の電子が放出され、その電子が空気中の水分に作用してマイナスイオンを生じさせる。
なお、高電圧発生回路６０は、それ単独で作動を制御してもよいが、ブロワー２０からの始動信号ｊおよび停止信号ｉを受けてブロワー２０の動作と連動させてもよい。
【００２８】
上記した構成の浄化装置において、浄化槽１の内部には被処理水が導入口１２より導入されて一定の水位に満たされる。ブロワー２０より導管３へ空気が送り込まれると、各処理室１０ａ〜１０ｃにおいて散気管５０ａ〜５０ｃの通気孔５１より空気が送り出されて多数の気泡となる。気泡には懸濁粒子や不溶粒子が付着し、それが水中を上方へ浮揚するので、被処理水から油分や不溶物質が分離され、浄化槽１内の下部の水が浄化される。また、気泡により水中に酸素が供給されるので、水中の好気性細菌の活動が促されて油分が分解される。さらに、高電圧発生回路６０で発生させた高電圧が各繊維状電極６１に印加されることにより繊維状電極６１がマイナスイオンを生じさせ、これが気泡に混入するので、浄化効果が一層高められる。
上記した浄化処理は第１〜第３の各処理室１０ａ〜１０ｃにおいて段階的に行われる。順次浄化された水が最終段の処理室１０ｃに至ってそこで浄化された後、処理済水として導出口１４より浄化槽１の外部へ導出される。
【００２９】
この浄化装置では、導管３の内部を常に非浸水状態に形成し、その導管内部の気泡発生部５の近傍位置に繊維状電極６１を配置してマイナスイオンを発生させるので、マイナスイオンは発生直後に気泡発生部５より気泡中に混入されて水中へ放出される。このため、気泡中へのマイナスイオンの混入量が増大し、浄化効果が向上する。
前記ブロワー２０は、一般的には、厨房の業務時間中は駆動させ、業務が休止される夜間などは停止させるが、送気が休止する期間は逆止弁７が閉じて管内圧が保持されるので、導管３の内部に水が浸入することがない。その結果、導管３の各分岐管４ａ〜４ｃの内部の気泡発生部５の近傍位置に配置された繊維状電極６１が水浸しになることがなく、繊維状電極６１の機能を低下させない。
【図面の簡単な説明】
【００３０】
【図１】この発明の一実施例である浄水装置の構成をブロックと浄化槽の縦断面とで示した説明図である。
【図２】浄化槽を上方から見た平面図である。
【図３】他の実施例を示す説明図である。
【図４】導管の主管と分岐管との連結構造を示す斜視図である。
【図５】（１）は主管の分岐部の構造を示す斜視図、（２）は分岐管の構造を示す斜視図である。
【図６】導管の他の配管例を示す平面図である。
【符号の説明】
【００３１】
１    浄化槽
２    気泡発生装置
３    導管
４ａ〜４ｃ  分岐管
５    気泡発生部
６    マイナスイオン発生装置
７    逆止弁
８    マイナスイオン発生部
１０ａ〜１０ｃ  処理室
１２  導入口
１４  導出口
２０  ブロワー
６１  繊維状電極
【図１】
2007021364.tif 000003
【図２】
2007021364.tif 000004
【図３】
2007021364.tif 000005
【図４】
2007021364.tif 000006
【図５】
2007021364.tif 000007
【図６】
2007021364.tif 000008